(57)【要約】【課題】インキの種類や粘度に関係なくインキ追従性に優れたボールペンチップを提供する。【解決手段】チップ先端のボール抱持室にボールを回転自在に抱持し、該ボール抱持室の底壁の中央に、チップ後端部の内孔に連通するインキ流通孔と、該インキ流通孔から放射状に延び、前記チップ後端部の内孔に達しない、横断面が略コ字状のインキ流通溝を有するボールペンチップにおいて、前記インキ流通溝が、前記インキ流通孔に対して最も離間した壁面と底壁面とを繋ぐ連結面を有するとともに、前記連結面の傾斜角度をα、底壁面の傾斜角度をβとしたとき、α＞βを満足する。または、前記連結面を円弧形状にしたことを特徴とする。【選択図】          図１
2006334867.tif 000002
【特許請求の範囲】
【請求項１】
チップ先端のボール抱持室にボールを回転自在に抱持し、該ボール抱持室の底壁の中央に、チップ後端部の内孔に連通するインキ流通孔と、該インキ流通孔から放射状に延び、前記チップ後端部の内孔に達しない、横断面が略コ字状のインキ流通溝を有するボールペンチップにおいて、前記インキ流通溝が、前記インキ流通孔に対して最も離間した壁面と底壁面とを繋ぐ連結面を有するとともに、前記連結面の傾斜角度をα、前記底壁面の傾斜角度をβとしたとき、α＜βを満足することを特徴とするボールペンチップ。
【請求項２】
チップ先端のボール抱持室にボールを回転自在に抱持し、該ボール抱持室の底壁の中央に、チップ後端部の内孔に連通するインキ流通孔と、該インキ流通孔から放射状に延び、前記チップ後端部の内孔に達しない、横断面が略コ字状のインキ流通溝を有するボールペンチップにおいて、前記インキ流通溝が、前記インキ流通孔に対して最も離間した壁面と底壁面とを繋ぐ連結面を有するとともに、前記連結面が、円弧形状であることを特徴とするボールペンチップ。
【発明の詳細な説明】
【技術分野】
【０００１】
本発明は、チップ先端のボール抱持室にボールを回転自在に抱持してなるボールペンチップに関する。
【背景技術】
【０００２】
従来から、ボール抱持室の底壁の中央に、インキ流通孔に連通するインキ流通溝を有するボールペンチップはよく知られている。こうしたボールペンチップにおいて、実開平７−３１３８２号公報「ボールペン」のように、インキ流通孔から放射状に延び、チップ後端部の内孔に達しないタイプのインキ流通溝もよく知られている。
【０００３】
こうした、インキ流通孔から放射状に延び、チップ後端部の内孔に達しないタイプのインキ流通溝を有するボールペンチップにおいて、特開平８−２０７４８２号公報「ボールペン用金属チップ」には、インキ流通孔の径とインキ流通孔の長さを一定比率とし、上向き放置後の再筆記のカスレ防止や高速筆記時のインキ追従性を向上させたボールペンチップが開示されている。
【特許文献１】「実開平７−３１３８２号公報」
【特許文献２】「特開平８−２０７４８２号公報」
【発明の開示】
【発明が解決しようとする課題】
【０００４】
ところで、インキ流通孔から放射状に延び、チップ後端部の内孔に達しないタイプのインキ流通溝は、特許文献１、２に開示されているように、横断面が略コ字状とし、縦断面は略Ｌ字状とすることが一般的である。こうしたインキ流通溝は、図６、図７に示すように、ボールペンチップ１０１のボール抱持室１０２の底壁１０３に、ツール１０９を当接し押圧することよって、ツール１０９の形状と同形（１０６ａ、１０６ｂ）のインキ流通孔１０３から放射状に延び、チップ後端部の内孔１０７に達しないインキ流通溝１０６を形成している。
【０００５】
こうした、インキ流通溝１０６を形成するツール１０９は、耐久性等を考慮して、先端角を９０度にすることが一般的であるため、インキ流通溝１０６の底壁面１０６ｂの傾斜角度は４５度であり、インキ流通溝１０６のインキ流通孔１０３に対して最も離間した外壁面１０６ａと底壁１０６ｂとの接合部Ｓの角度は１３５度となり、急な勾配で形成してあった。
【０００６】
本発明者は、インキ流通溝とインキ追従性について検討した結果、インキ流通溝の縦断面における傾斜角度とインキ追従性が密接な関係にあることが解った。これは、筆記具インキがチップ後端部の内孔からインキ流通溝を連通する時に、縦断面において前記インキ流通孔に対して最も離間した外壁面と底壁面との接合部近傍で乱流を引き起こしているためと考えられる。
【０００７】
本発明の目的は、インキの種類や粘度に関係なくインキ追従性に優れたボールペンチップを提供することである。
【課題を解決するための手段】
【０００８】
本発明は、チップ先端のボール抱持室にボールを回転自在に抱持し、該ボール抱持室の底壁の中央に、チップ後端部の内孔に連通するインキ流通孔と、該インキ流通孔から放射状に延び、前記チップ後端部の内孔に達しない、横断面が略コ字状のインキ流通溝を有するボールペンチップにおいて、前記インキ流通溝が、前記インキ流通孔に対して最も離間した壁面と底壁面とを繋ぐ連結面を有するとともに、前記連結面の傾斜角度をα、前記底壁面の傾斜角度をβとしたとき、α＜βを満足することを特徴とする。
【０００９】
また、チップ先端のボール抱持室にボールを回転自在に抱持し、該ボール抱持室の底壁の中央に、チップ後端部の内孔に連通するインキ流通孔と、該インキ流通孔から放射状に延び、前記チップ後端部の内孔に達しない、横断面が略コ字状のインキ流通溝を有するボールペンチップにおいて、前記インキ流通溝が、前記インキ流通孔に対して最も離間した壁面と底壁面とを繋ぐ連結面を有するとともに、前記連結面が、円弧形状であることを特徴とする。
【発明の効果】
【００１０】
インキの種類や粘度に関係なくインキ追従性に優れたボールペンチップを提供することができた。
【発明を実施するための最良の形態】
【００１１】
次に図面を参照しながら、本発明のボールペンチップ及びそれを用いたボールペンの実施例を説明するが、本発明は以下の実施例に限定されるものではない。
【実施例１】
【００１２】
図１、図２に示すボールペンチップ１は、チップ本体のボール抱持室２の底壁３にボール８を載置し、チップ先端縁４を内側にかしめることより、ボール８を回転自在に抱持してある。また、ボール抱持室２の底壁３には、チップ後端部の内孔７に連通するインキ流通孔５と、このインキ流通孔５から放射状に延び、チップ後端部の内孔７に連通しない４本のインキ流通溝６を形成してある。
【００１３】
図３に示すようにインキ流通溝６は、横断面を略コ字状とし、縦断面が略Ｌ字状となるように、ボールペンチップの底壁３にツール９を当接し押圧（図３の矢印Ｆ方向）するよって、ツール９の形状と同形（６ａ、６ｂ、６ｃ）のインキ流通溝６を形成してあり、このインキ流通溝６のインキ流通孔５に対して最も離間した外壁面６ａと底壁面６ｃとを繋ぐ連結面６ｂを形成してある。
【００１４】
連結面６ｂの傾斜角度α、底壁面６ｃの傾斜角度をβとしたとき、α＜βを満足することによって、筆記具インキ（図示せず）がチップ後端部の内孔７からインキ流通溝６を通過する時に、底壁面６ｃからインキ流通孔５に対して最も離間した外壁面６ａに向かって徐々に角度が大きくなるので、筆記具用インキ（図示せず）の流れがスムーズになり、乱流を引き起こし難くなり、インキ追従性が向上する。
【実施例２】
【００１５】
図４に示す実施例２のボールペンチップ１１は、インキ流通溝１６のインキ流通孔１５に対して最も離間した外壁面１６ａと底壁面１６ｃとを繋ぐ連結面１６ｂを円弧形状にした以外は、実施例１と同様にして、チップ本体のボール抱持室１２の底壁１３にボール８を載置し、チップ先端縁１４を内側にかしめることより、ボール８を回転自在に抱持し、ボール抱持室１２の底壁１３に、チップ後端部の内孔１７に連通するインキ流通孔１５と、このインキ流通孔１５から放射状に延び、チップ後端部の内孔１７に連通しない４本のインキ流通溝１６を形成してボールペンチップ１１を得ている。
【００１６】
また、図５に示すようにインキ流通溝１６は、横断面を略コ字状とし、縦断面が略Ｌ字状となるように、ボールペンチップの底壁１３にツール１９を当接し押圧（図５の矢印Ｆ方向）することによって、ツール１９の形状と同形（１６ａ、１６ｂ、１６ｃ）のインキ流通溝１６を形成してあり、このインキ流通溝１６のインキ流通孔１５に対して最も離間した外壁面１６ａと底壁面１６ｃとを繋ぐ円弧形状の連結面１６ｂを形成してある。
【００１７】
インキ流通溝１６のインキ流通孔１５に対して最も離間した外壁面１６ａと底壁面１６ｃとを繋ぐ連結面１６ｂを円弧形状にすることによって、連結面１６ｂとインキ流通孔１５に対して最も離間した外壁面１６ａ及び底壁面１６ｃとの接合部に角部が形成されないので、筆記具インキ（図示せず）の流通がよりスムーズになるので好ましい。
【００１８】
また、連結面１６ｂとインキ流通溝１６のインキ流通孔１５に対して最も離間した外壁面１６ａと、連結面１６ｂと底壁面１６ｃとを直線で繋ぐ場合に比べ、インキ流通溝の体積を増やすことができるので、より多くの筆記具用インキが流れることができるので、インキ追従性が向上する。
【００１９】
本実施例では、便宜上、ボール座を形成しない構造としてあるが、ボール抱持室の底壁にボール座を形成してあってもよい。また、インキ流通孔から放射状に延び、前記チップ後端部の内孔に達しないインキ流通溝であれば、形状や数も特に限定されるものではない。
【産業上の利用可能性】
【００２０】
油性インキ、剪断減粘性インキ、水性インキ等、インキの種類やインキ粘度に限定されることなく実施可能であり、筆記時に紙面に多く吐出する剪断減粘性インキや低粘度の油性インキに特に効果的に用いることができる。
【図面の簡単な説明】
【００２１】
【図１】実施例１のボールペンチップを示す一部省略した縦断面図である。
【図２】図１における一部省略したＡ−Ａ断面図である。
【図３】図１におけるインキ流通溝を形成する状態を示す図である。
【図４】実施例２のボールペンチップを示す一部省略した縦断面図である。
【図５】図４におけるインキ流通溝を形成する状態を示す図である。
【図６】従来のボールペンチップにおける一部省略した要部拡大断面図である。
【図７】図６におけるインキ流通溝を形成する前の状態を示す図である。
【符号の説明】
【００２２】
１、１１、１０１  ボールペンチップ
２、１２、１０２  ボール抱持室
３、１３、１０３  底壁
５、１５、１０５  インキ流通孔
６、１６、１０６  インキ流通溝
６ａ、１６ａ、１０６ａ  外壁面
６ｂ、１６ｂ  連結面
α  連結面の角度
６ｃ、１６ｃ、１０６ｂ  底壁面
β  底壁面の角度
７、１７、１０７  チップ後端部の内孔
８  ボール
９、１９、１０９  ツール
【図１】
2006334867.tif 000003
【図２】
2006334867.tif 000004
【図３】
2006334867.tif 000005
【図４】
2006334867.tif 000006
【図５】
2006334867.tif 000007
【図６】
2006334867.tif 000008
【図７】
2006334867.tif 000009